【事件の表示】
　特許第６６５２９２２号に関する訂正審判事件について、次のとおり審決する。
【結　論】
　特許第６６５２９２２号の明細書及び特許請求の範囲を本件審判請求書に添付された訂正明細書及び訂正特許請求の範囲のとおり、訂正後の請求項〔２１−２８〕について訂正することを認める。
【理　由】
第１　手続の経緯
　特許第６６５２９２２号は、平成２６年８月２８日を国際出願日（パリ条約による優先権主張　２０１３年８月２８日　米国）として出願され、その請求項１〜３３に係る発明について令和２年１月２８日に特許権の設定登録がされたものであり、その後、令和２年８月６日に本件の訂正審判が請求されたものである。
第２　請求の趣旨および訂正の内容
　本件審判の請求の趣旨は、特許第６６５２９２２号の明細書および特許請求の範囲を、本件審判請求書に添付した訂正明細書、訂正特許請求の範囲のとおり、訂正後の請求項２１〜２８について訂正することを認める、との審決を求めるものである。
　そして、本件審判の請求による訂正（以下、「本件訂正」という。）の内容は、概ね、以下の訂正事項１〜６のとおりである。
１　訂正事項１
　特許請求の範囲の請求項２１における以下の化学式：
を、以下の化学式：
に訂正する。
　具体的には、訂正前の化学式中の「ＯＭＯＥ」との記載を、「−ＯＣＨ２ＣＨ２−ＯＣＨ３」で表される化学構造に訂正する（請求項２１の記載を直接的又は間接的に引用する請求項２４〜２８も同様に訂正する。）。
２　訂正事項２
　明細書の段落【０１７６】（【化２】）、【０３２３】（【化１６】）、および【０３８２】（【化１９】）に記載されている化学式を、前記訂正事項１に示した訂正後の化学式に訂正する。
３　訂正事項３
　特許請求の範囲の請求項２２における以下の化学式：
を、以下の化学式：
に訂正する。
　具体的には、訂正前の化学式中の「ＯＭＯＥ」との記載を、「−ＯＣＨ２ＣＨ２−ＯＣＨ３」で表される化学構造に訂正する（請求項２２の記載を直接的又は間接的に引用する請求項２４〜２８も同様に訂正する。）。
４　訂正事項４
　明細書の段落【０１７９】（【化３】）、【０３３２】（【化１７】）、および【０３８２】（【化２０】）に記載されている化学式を、前記訂正事項３に示した訂正後の化学式に訂正する。
５　訂正事項５
　特許請求の範囲の請求項２３における以下の化学式：
を、以下の化学式：
に訂正する。
　具体的には、訂正前の化学式中の「ＯＭＯＥ」との記載を、「−ＯＣＨ２ＣＨ２−ＯＣＨ３」で表される化学構造に訂正する（請求項２３の記載を直接的又は間接的に引用する請求項２４〜２８も同様に訂正する。）。
６　訂正事項６
　明細書の段落【０１８２】（【化４】）、【０３４１】（【化１８】）、および【０３８２】（【化２１】）に記載されている化学式を、前記訂正事項５に示した訂正後の化学式に訂正する。
第３　当審の判断
１　訂正の目的について
（１）訂正事項１について
　本件訂正前の請求項２１には、当該請求項に記載された化学式（【化１】）で示される修飾されたオリゴヌクレオチドが記載されており、その化学構造は、本件訂正前の明細書の段落【０３２３】における化学式（【化１６】）で示される「ＩＳＩＳ５４６２５４」の化学構造と同一である。
　ここで、本件特許の明細書の段落【０３２０】には、前記ＩＳＩＳ５４６２５４について、「（５’から３’へと）ＴＧＣＡＡＧＴＣＴＣＴＴＧＧＣＡＡＡＣＡの配列（配列番号５７０として本明細書に組み込まれる）を有する５−１０−５ＭＯＥギャップマー」として特徴づけられ、当該配列中で、「ヌクレオシド１〜５及び１６〜２０の各々は２’−Ｏ−メトキシエチル修飾したヌクレオシド」であると記載されている。
　また、明細書の段落【０３２１】には、前記ＩＳＩＳ５４６２５４について、「Ｔｅｓ　Ｇｅｓ　ｍＣｅｓ　Ａｅｓ　Ａｅｓ　Ｇｄｓ　Ｔｄｓ　ｍＣｄｓ　Ｔｄｓ　ｍＣｄｓ　Ｔｄｓ　Ｔｄｓ　Ｇｄｓ　Ｇｄｓ　ｍＣｄｓ　Ａｅｓ　Ａｅｓ　Ａｅｓ　ｍＣｅｓ　Ａｅ」の化学表記法によって説明されること、当該化学表記法による式中の５’末端側から１〜５番目（ＴＧＣＡＡ）及び１６〜２０番目（ＡＡＡＣＡ）の計１０箇所の各ヌクレオシドに対して付されている記号「ｅ」は、「ｅ＝２’−Ｏ−メトキシエチル修飾したヌクレオシド」の記載のとおり、「２’−Ｏ−メトキシエチル修飾したヌクレオシド」を示すことが記載されており、記号「ｅ」が意味するところは明細書の段落【０３２０】における前記した記載事項とも整合する。
　そして、本件訂正前の明細書の段落【０３２３】における化学式（【化１６】）で示される前記ＩＳＩＳ５４６２５４の化学構造は、明細書の段落【０３２０】に記載の前記配列「ＴＧＣＡＡＧＴＣＴＣＴＴＧＧＣＡＡＡＣＡ」で示されるものと、ヌクレオシドの種類は一致しており矛盾はなく、また、明細書の段落【０３２１】に記載の前記化学表記法「Ｔｅｓ　Ｇｅｓ　ｍＣｅｓ　Ａｅｓ　Ａｅｓ　Ｇｄｓ　Ｔｄｓ　ｍＣｄｓ　Ｔｄｓ　ｍＣｄｓ　Ｔｄｓ　Ｔｄｓ　Ｇｄｓ　Ｇｄｓ　ｍＣｄｓ　Ａｅｓ　Ａｅｓ　Ａｅｓ　ｍＣｅｓ　Ａｅ」で示されるものとも、ヌクレオシドの種類やヌクレオシド間の結合種別、５箇所存在するシトシンのメチル修飾について、いずれも一致しており矛盾はない。
　以上によれば、本件訂正前の請求項２１における化学式（【化１】）で示される修飾されたオリゴヌクレオチドとは、その化学構造中の５’末端側から１〜５番目及び１６〜２０番目の１０箇所のヌクレオシドがいずれも「２’−Ｏ−メトキシエチル修飾したヌクレオシド」である、すなわち各ヌクレオシドにおけるフラノース環の２’位の酸素原子（Ｏ）がメトキシエチル基（−ＣＨ２ＣＨ２ＯＣＨ３）で修飾された化学構造「２’−ＯＣＨ２ＣＨ２−ＯＣＨ３」を有しているものと理解できる。
　この一方で、本件訂正前の請求項２１における化学式（【化１】）をみると、修飾されたオリゴヌクレオチドにおける化学構造中の、５’末端側から１〜５番目及び１６〜２０番目の１０箇所のヌクレオシドにおける各フラノース環の２’位には、「ＯＭＯＥ」が結合している。ここで、明細書の段落【０２８６】において、「本明細書で使用する場合、「ＭＯＥ」または「２’−ＭＯＥ」または「２’−ＯＣＨ２ＣＨ２ＯＣＨ３」または「２’−Ｏ−メトキシエチル」は各々、糖環の２’位で−ＯＣＨ２ＣＨ２ＯＣＨ３基を含む糖を含むヌクレオシドを指す。」と記載されているとおり、「２’−ＯＣＨ２ＣＨ２ＯＣＨ３」の化学構造は「ＭＯＥ」とも明細書中では表記されるとの定義はなされているものの、「ＯＭＯＥ」の定義や説明は明細書中に存在しない。そして、「ＭＯＥ」は「２’−ＯＣＨ２ＣＨ２ＯＣＨ３」を意味するという前記の定義に照らして、「ＯＭＯＥ」の記載は「２’−Ｏ−ＯＣＨ２ＣＨ２ＯＣＨ３」という化学構造を意味するというように解したとしても、その場合には、ヌクレオシドのフラノース環の２’位の酸素原子がメトキシエチル基ではなく、「−Ｏ−ＣＨ２ＣＨ２ＯＣＨ３」という基で修飾されていることになり、「２’−Ｏ−メトキシエチル修飾したヌクレオシド」であるという前記の理解とは整合しないことになる。
　したがって、本件訂正前の明細書の記載からみて、本件訂正前の請求項２１に記載の化学式（【化１】）における「ＯＭＯＥ」が何を表しているのか明確でない。
（２）訂正事項２について
　本件訂正前の明細書の段落【０１７６】には、当該段落に記載された化学式（【化２】）で示される修飾されたオリゴヌクレオチドが記載されており、また、本件訂正前の明細書の段落【０３２３】には、当該段落に記載された化学式（【化１６】）で示される修飾されたオリゴヌクレオチドが記載されており、そして、本件訂正前の明細書の段落【０３８２】には、当該段落に記載された化学式（【化１９】）で示される修飾されたオリゴヌクレオチドが記載されている。それらの化学構造はいずれも、本件訂正前の請求項２１に記載された化学式（【化１】）で示される修飾されたオリゴヌクレオチドの化学構造と同一である。
　そして、上記（１）に記載したのと同様の理由により、本件訂正前の明細書の記載からみて、本件訂正前の明細書の段落【０１７６】に記載の化学式（【化２】）、本件訂正前の明細書の段落【０３２３】に記載の化学式（【化１６】）、及び、本件訂正前の明細書の段落【０３８２】に記載の化学式（【化１９】）における「ＯＭＯＥ」が何を表しているのか明確でない。
（３）訂正事項３について
　本件訂正前の請求項２２には、当該請求項に記載された化学式（【化２】）で示される修飾されたオリゴヌクレオチドが記載されており、その化学構造は、本件訂正前の明細書の段落【０３３２】における化学式（【化１７】）で示される「ＩＳＩＳ５４６３４３」の化学構造と同一である。
　ここで、本件特許の明細書の段落【０３２９】には、前記ＩＳＩＳ５４６３４３について、「（５’から３’へと）ＣＣＣＣＣＴＴＣＴＴＴＡＴＡＧＣＣＡＧＣの配列（ 配列番号７０５として本明細書に組み込まれる）を有する５−１０−５ＭＯＥギャップマー」として特徴づけられ、当該配列中で、「ヌクレオシド１〜５及び１６〜２０の各々は２’−Ｏ−メトキシエチル修飾したヌクレオシド」であると記載されている。
　また、明細書の段落【０３３０】には、前記ＩＳＩＳ５４６３４３について、「ｍＣｅｓ　ｍＣｅｓ　ｍＣｅｓ　ｍＣｅｓ　ｍＣｅｓ　Ｔｄｓ　Ｔｄｓ　ｍＣｄｓ　Ｔｄｓ　Ｔｄｓ　Ｔｄｓ　Ａｄｓ　Ｔｄｓ　Ａｄｓ　Ｇｄｓ　ｍＣｅｓ　ｍＣｅｓ　Ａｅｓ　Ｇｅｓ　ｍＣｅ」の化学表記法によって説明されること、当該化学表記法による式中の５’末端側から１〜５番目（ＣＣＣＣＣ）及び１６〜２０番目（ＣＣＡＧＣ）の計１０箇所の各ヌクレオシドに対して付されている記号「ｅ」は、「ｅ＝２’−Ｏ−メトキシエチル修飾したヌクレオシド」の記載のとおり、「２’−Ｏ−メトキシエチル修飾したヌクレオシド」を示すことが記載されており、記号「ｅ」が意味するところは明細書の段落【０３２９】における前記した記載事項とも整合する。
　そして、本件訂正前の明細書の段落【０３３２】における化学式（【化１７】）で示される前記ＩＳＩＳ５４６３４３の化学構造は、明細書の段落【０３２９】に記載の前記配列「ＣＣＣＣＣＴＴＣＴＴＴＡＴＡＧＣＣＡＧＣ」で示されるものと、ヌクレオシドの種類は一致しており矛盾はなく、また、明細書の段落【０３３０】に記載の前記化学表記法「ｍＣｅｓ　ｍＣｅｓ　ｍＣｅｓ　ｍＣｅｓ　ｍＣｅｓ　Ｔｄｓ　Ｔｄｓ　ｍＣｄｓ　Ｔｄｓ　Ｔｄｓ　Ｔｄｓ　Ａｄｓ　Ｔｄｓ　Ａｄｓ　Ｇｄｓ　ｍＣｅｓ　ｍＣｅｓ　Ａｅｓ　Ｇｅｓ　ｍＣｅ」で示されるものとも、ヌクレオシドの種類やヌクレオシド間の結合種別、９箇所存在するシトシンのメチル修飾について、いずれも一致しており矛盾はない。
　以上によれば、本件訂正前の請求項２２における化学式（【化２】）で示される修飾されたオリゴヌクレオチドとは、その化学構造中の５’末端側から１〜５番目及び１６〜２０番目の１０箇所のヌクレオシドがいずれも「２’−Ｏ−メトキシエチル修飾したヌクレオシド」である、すなわち各ヌクレオシドにおけるフラノース環の２’位の酸素原子がメトキシエチル基で修飾された化学構造「２’−ＯＣＨ２ＣＨ２−ＯＣＨ３」を有しているものと理解できる。
　この一方で、本件訂正前の請求項２２における化学式（【化２】）をみると、修飾されたオリゴヌクレオチドにおける化学構造中の、５’末端側から１〜５番目及び１６〜２０番目の１０箇所のヌクレオシドにおける各フラノース環の２’位には、「ＯＭＯＥ」が結合している。ここで、上記（１）でも記載したとおり、明細書の段落【０２８６】において、「本明細書で使用する場合、「ＭＯＥ」または「２’−ＭＯＥ」または「２’−ＯＣＨ２ＣＨ２ＯＣＨ３」または「２’−Ｏ−メトキシエチル」は各々、糖環の２’位で−ＯＣＨ２ＣＨ２ＯＣＨ３基を含む糖を含むヌクレオシドを指す。」と記載されているとおり、「２’−ＯＣＨ２ＣＨ２ＯＣＨ３」の化学構造は「ＭＯＥ」とも明細書中では表記されるとの定義はなされているものの、「ＯＭＯＥ」の定義や説明は明細書中に存在しない。そして、「ＭＯＥ」は「２’−ＯＣＨ２ＣＨ２ＯＣＨ３」を意味するという前記の定義に照らして、「ＯＭＯＥ」の記載は「２’−Ｏ−ＯＣＨ２ＣＨ２ＯＣＨ３」という化学構造を意味するというように解したとしても、その場合には、ヌクレオシドのフラノース環の２’位の酸素原子がメトキシエチル基ではなく、「−Ｏ−ＣＨ２ＣＨ２ＯＣＨ３」という基で修飾されていることになり、「２’−Ｏ−メトキシエチル修飾したヌクレオシド」であるという前記の理解とは整合しないことになる。
　したがって、本件訂正前の明細書の記載からみて、本件訂正前の請求項２２に記載の化学式（【化２】）における「ＯＭＯＥ」が何を表しているのか明確でない。
（４）訂正事項４について
　本件訂正前の明細書の段落【０１７９】には、当該段落に記載された化学式（【化３】）で示される修飾されたオリゴヌクレオチドが記載されており、また、本件訂正前の明細書の段落【０３３２】には、当該段落に記載された化学式（【化１７】）で示される修飾されたオリゴヌクレオチドが記載されており、そして、本件訂正前の明細書の段落【０３８２】には、当該段落に記載された化学式（【化２０】）で示される修飾されたオリゴヌクレオチドが記載されている。それらの化学構造はいずれも、本件訂正前の請求項２２に記載された化学式（【化２】）で示される修飾されたオリゴヌクレオチドの化学構造と同一である。
　そして、上記（３）に記載したのと同様の理由により、本件訂正前の明細書の記載からみて、本件訂正前の明細書の段落【０１７９】に記載の化学式（【化３】）、本件訂正前の明細書の段落【０３３２】に記載の化学式（【化１７】）、及び、本件訂正前の明細書の段落【０３８２】に記載の化学式（【化２０】）における「ＯＭＯＥ」が何を表しているのか明確でない。
（５）訂正事項５について
　本件訂正前の請求項２３には、当該請求項に記載された化学式（【化３】）で示される修飾されたオリゴヌクレオチドが記載されており、その化学構造は、本件訂正前の明細書の段落【０３４１】における化学式（【化１８】）で示される「ＩＳＩＳ５４８０４８」の化学構造と同一である。
　ここで、本件特許の明細書の段落【０３３８】には、前記ＩＳＩＳ５４８０４８について、「核酸塩基配列（５’から３’へと）ＣＧＡＴＡＴＣＡＴＧＡＴＴＣＣＣ（配列番号１６６６として本明細書に組み込まれる）を有し、１６個の２’−デオキシヌクレオシド、２’−Ｏ−メトキシエチル修飾したヌクレオシド及びｃＥｔ修飾したヌクレオシドの組み合わせからなる修飾されたアンチセンスオリゴヌクレオチド」として特徴づけられると記載されている。
　また、明細書の段落【０３３９】には、前記ＩＳＩＳ５４８０４８について、「ｍＣｅｓ　Ｇｅｓ　Ａｋｓ　Ｔｄｓ　Ａｄｓ　Ｔｄｓ　ｍＣｄｓ　Ａｄｓ　Ｔｄｓ　Ｇｄｓ　Ａｄｓ　Ｔｄｓ　Ｔｄｓ　ｍＣｋｓ　ｍＣｋｓ　ｍＣｅ」の化学表記法によって説明されること、当該化学表記法による式中の５’末端側から１及び２番目（ＣＧ）及び１６番目（Ｃ）の計３箇所の各ヌクレオシドに対して付されている記号「ｅ」は、「ｅ＝２’−Ｏ−メトキシエチル修飾したヌクレオシド」の記載のとおり、「２’−Ｏ−メトキシエチル修飾したヌクレオシド」を示すことが記載されている。
　そして、本件訂正前の明細書の段落【０３４１】における化学式（【化１８】）で示される前記ＩＳＩＳ５４８０４８の化学構造は、明細書の段落【０３３８】に記載の前記配列「ＣＧＡＴＡＴＣＡＴＧＡＴＴＣＣＣ」で示されるものと、ヌクレオシドの種類は一致しており矛盾はなく、また、明細書の段落【０３３９】に記載の前記化学表記法「ｍＣｅｓ　Ｇｅｓ　Ａｋｓ　Ｔｄｓ　Ａｄｓ　Ｔｄｓ　ｍＣｄｓ　Ａｄｓ　Ｔｄｓ　Ｇｄｓ　Ａｄｓ　Ｔｄｓ　Ｔｄｓ　ｍＣｋｓ　ｍＣｋｓ　ｍＣｅ」で示されるものとも、ヌクレオシドの種類やヌクレオシド間の結合種別、５箇所存在するシトシンのメチル修飾について、いずれも一致しており矛盾はない。
　以上によれば、本件訂正前の請求項２３における化学式（【化３】）で示される修飾されたオリゴヌクレオチドとは、その化学構造中の５’末端側から１番目、２番目及び１６番目の３箇所のヌクレオシドがいずれも「２’−Ｏ−メトキシエチル修飾したヌクレオシド」である、すなわち各ヌクレオシドにおけるフラノース環の２’位の酸素原子がメトキシエチル基で修飾された化学構造「２’−ＯＣＨ２ＣＨ２−ＯＣＨ３」を有しているものと理解できる。
　この一方で、本件訂正前の請求項２３における化学式（【化３】）をみると、修飾されたオリゴヌクレオチドにおける化学構造中の、５’末端側から１番目、２番目及び１６番目の３箇所のヌクレオシドにおける各フラノース環の２’位には、「ＯＭＯＥ」が結合している。ここで、上記（１）でも記載したとおり、明細書の段落【０２８６】において、「本明細書で使用する場合、「ＭＯＥ」または「２’−ＭＯＥ」または「２’−ＯＣＨ２ＣＨ２ＯＣＨ３」または「２’−Ｏ−メトキシエチル」は各々、糖環の２’位で−ＯＣＨ２ＣＨ２ＯＣＨ３基を含む糖を含むヌクレオシドを指す。」と記載されているとおり、「２’−ＯＣＨ２ＣＨ２ＯＣＨ３」の化学構造は「ＭＯＥ」とも明細書中では表記されるとの定義はなされているものの、「ＯＭＯＥ」の定義や説明は明細書中に存在しない。そして、「ＭＯＥ」は「２’−ＯＣＨ２ＣＨ２ＯＣＨ３」を意味するという前記の定義に照らして、「ＯＭＯＥ」の記載は「２’−Ｏ−ＯＣＨ２ＣＨ２ＯＣＨ３」という化学構造を意味するというように解したとしても、その場合には、ヌクレオシドのフラノース環の２’位の酸素原子がメトキシエチル基ではなく、「−Ｏ−ＣＨ２ＣＨ２ＯＣＨ３」という基で修飾されていることになり、「２’−Ｏ−メトキシエチル修飾したヌクレオシド」であるという前記の理解とは整合しないことになる。
　したがって、本件訂正前の明細書の記載からみて、本件訂正前の請求項２３に記載の化学式（【化３】）における「ＯＭＯＥ」が何を表しているのか明確でない。
（６）訂正事項６について
　本件訂正前の明細書の段落【０１８２】には、当該段落に記載された化学式（【化４】）で示される修飾されたオリゴヌクレオチドが記載されており、また、本件訂正前の明細書の段落【０３４１】には、当該段落に記載された化学式（【化１８】）で示される修飾されたオリゴヌクレオチドが記載されており、そして、本件訂正前の明細書の段落【０３８２】には、当該段落に記載された化学式（【化２１】）で示される修飾されたオリゴヌクレオチドが記載されている。それらの化学構造はいずれも、本件訂正前の請求項２３に記載された化学式（【化３】）で示される修飾されたオリゴヌクレオチドの化学構造と同一である。
　そして、上記（５）に記載したのと同様の理由により、本件訂正前の明細書の記載からみて、本件訂正前の明細書の段落【０１８２】に記載の化学式（【化４】）、本件訂正前の明細書の段落【０３４１】に記載の化学式（【化１８】）、及び、本件訂正前の明細書の段落【０３８２】に記載の化学式（【化２１】）における「ＯＭＯＥ」が何を表しているのか明確でない。
（７）訂正の目的について
　前記（１）〜（６）の検討結果からみて、本件訂正前の請求項２１に記載の化学式（【化１】）、本件訂正前の請求項２２に記載の化学式（【化２】）、本件訂正前の請求項２３に記載の化学式（【化３】）、本件訂正前の明細書の段落【０１７６】に記載の化学式（【化２】）、本件訂正前の明細書の段落【０３２３】に記載の化学式（【化１６】）、本件訂正前の明細書の段落【０１７９】に記載の化学式（【化３】）、本件訂正前の明細書の段落【０３３２】に記載の化学式（【化１７】）、本件訂正前の明細書の段落【０１８２】に記載の化学式（【化４】）、本件訂正前の明細書の段落【０３４１】に記載の化学式（【化１８】）、及び、本件訂正前の明細書の段落【０３８２】に記載の化学式（【化１９】〜【化２１】）における「ＯＭＯＥ」が何を表しているのかが明確でない。
　そして、本件訂正前のこれらの化学式における「ＯＭＯＥ」の記載を全て、「２’−ＯＣＨ２ＣＨ２−ＯＣＨ３」を表すものへと訂正することは、本件訂正前の明細書の段落【０３２０】、【０３２１】、【０３２９】、【０３３０】、【０３３８】、及び、【０３３９】における記載のとおりに、「２’−Ｏ−メトキシエチル修飾したヌクレオシド」であることを明確化するものであるといえる。
　また、本件特許の明細書に、上記のように明確化することを妨げる記載や、矛盾する記載は存在しない。
　以上からみて、訂正事項１〜６はいずれも、特許法第１２６条第１項ただし書第３号に規定する「明瞭でない記載の釈明」を目的とするものである。
２　願書に添付した明細書又は特許請求の範囲に記載した事項の範囲内の訂正であること
　前記１（７）で検討したとおり、本件訂正前の請求項２１に記載の化学式（【化１】）、本件訂正前の請求項２２に記載の化学式（【化２】）、本件訂正前の請求項２３に記載の化学式（【化３】）、本件訂正前の明細書の段落【０１７６】に記載の化学式（【化２】）、本件訂正前の明細書の段落【０３２３】に記載の化学式（【化１６】）、本件訂正前の明細書の段落【０１７９】に記載の化学式（【化３】）、本件訂正前の明細書の段落【０３３２】に記載の化学式（【化１７】）、本件訂正前の明細書の段落【０１８２】に記載の化学式（【化４】）、本件訂正前の明細書の段落【０３４１】に記載の化学式（【化１８】）、及び、本件訂正前の明細書の段落【０３８２】に記載の化学式（【化１９】〜【化２１】）における「ＯＭＯＥ」の記載を全て、「２’−ＯＣＨ２ＣＨ２−ＯＣＨ３」を表すものへと訂正し、明細書の段落【０３２０】、【０３２１】、【０３２９】、【０３３０】、【０３３８】、及び、【０３３９】における記載のとおりに、「２’−Ｏ−メトキシエチル修飾したヌクレオシド」であることを明確化する訂正事項１〜６はいずれも、「願書に添付した明細書、特許請求の範囲又は図面」に記載した事項の範囲内の訂正であり、特許法第１２６条第５項の規定に適合する。
３　実質上特許請求の範囲を拡張し、又は変更する訂正ではないこと
　前記１（７）で検討したとおり、本件訂正前の請求項２１に記載の化学式（【化１】）、本件訂正前の請求項２２に記載の化学式（【化２】）、本件訂正前の請求項２３に記載の化学式（【化３】）、本件訂正前の明細書の段落【０１７６】に記載の化学式（【化２】）、本件訂正前の明細書の段落【０３２３】に記載の化学式（【化１６】）、本件訂正前の明細書の段落【０１７９】に記載の化学式（【化３】）、本件訂正前の明細書の段落【０３３２】に記載の化学式（【化１７】）、本件訂正前の明細書の段落【０１８２】に記載の化学式（【化４】）、本件訂正前の明細書の段落【０３４１】に記載の化学式（【化１８】）、及び、本件訂正前の明細書の段落【０３８２】に記載の化学式（【化１９】〜【化２１】）における「ＯＭＯＥ」の記載を全て、「２’−ＯＣＨ２ＣＨ２−ＯＣＨ３」を表すものへと訂正し、明細書の段落【０３２０】、【０３２１】、【０３２９】、【０３３０】、【０３３８】、及び、【０３３９】における記載のとおりに、「２’−Ｏ−メトキシエチル修飾したヌクレオシド」であることを明確化する訂正事項１〜６はいずれも、実質上特許請求の範囲を拡張し、又は変更するものには該当せず、特許法第１２６条第６項の規定に適合する。
第３　むすび
　以上からみて、本件訂正審判の請求は、特許法第１２６条第１項ただし書第３号に規定する事項を目的とし、かつ、同条第５項及び第６項の規定に適合するものである。
　よって、結論のとおり審決する。